(57)【要約】【課題】  振動防止材、吸音材、消音材等を追加することなく低コスト、省スペースで安定した騒音低減の効果が得られる画像形成装置を提供する。【解決手段】  感光体ドラム１ａ〜１ｄと、感光体ドラム１ａ〜１ｄの表面を走査露光するポリゴンモータ３１ａ〜３１ｄを備え、画像情報に基づいて感光体ドラム１ａ〜１ｄ表面に静電潜像を形成する露光装置３０ａ〜３０ｄと、ポリゴンモータ３１ａ〜３１ｄの回転位相を検出する位相検出回路と、ポリゴンモータ３１ａ〜３１ｄの回転位相を制御する位相制御回路とを有する画像形成装置であって、位相制御回路が、ポリゴンモータ３１ａ〜３１ｄの回転位相が振動を低減する特定の位相になるように、ポリゴンモータ３１ａ〜３１ｄの回転位相を位相検出回路の検出結果に基づいて制御する。【選択図】  図１
2007004151.tif 000002
【特許請求の範囲】
【請求項１】
像担持体の表面を走査露光する回転多面鏡を各々備え、画像情報に基づいて前記像担持体表面に静電潜像を形成する複数の光学スキャナと、
前記回転多面鏡の回転位相を検出する回転位相検出手段と、
前記回転多面鏡の回転位相を制御する回転位相制御手段とを有し、
前記回転位相制御手段が、前記回転多面鏡の相対回転位相パターンを、前記回転位相検出手段の検出結果に基づいて面単位で制御することを特徴とする画像形成装置。
【請求項２】
前記回転位相制御手段が、前記複数の光学スキャナの振動が低減する相対回転位相パターンとなる様に、前記回転多面鏡の回転位相を面単位で制御することを特徴とする請求項１記載の画像形成装置。
【請求項３】
前記回転位相制御手段は、前記複数の回転多面鏡の相対回転位相パターンを面単位で制御するとともに、色ずれ情報に基づいて１面以下の単位で制御することを特徴とする請求項１記載の画像形成装置。
【請求項４】
前記回転多面鏡の各々の重量不釣合い方向を検知する重量不釣合い方向検出手段を有し、
前記回転位相検出手段が、前記重量不釣合い方向検出手段の検知結果に基づいて前記複数の回転多面鏡の回転位相関係を検出することを特徴とする請求項１記載の画像形成装置。
【請求項５】
前記装置は複数の印字モードを持ち、前記回転位相制御手段は、前記回転多面鏡の回転位相を前記複数の印字モードに応じた位相関係パターンになる様に制御することを特徴とする請求項１記載の画像形成装置。
【請求項６】
像担持体の表面を走査露光する回転多面鏡を各々備え、画像情報に基づいて前記像担持体表面に静電潜像を形成する複数の光学スキャナと、
前記回転多面鏡の回転位相を制御する回転位相検出手段と、
振動を検知する振動検出手段とを有し、
前記回転位相制御手段が、前記振動検出手段の検知結果に基づいて前記複数の回転多面鏡の回転位相関係を制御することを特徴とする画像形成装置。
【請求項７】
前記回転位相制御手段は、前記複数の回転多面鏡の回転位相関係を、前記振動検出手段の検出結果に基づいて面単位で制御するとともに、色ずれ情報に基づいて１面以下の単位で制御することを特徴とする請求項６記載の画像形成装置。
【請求項８】
前記装置は複数の印字モードを持ち、前記回転位相制御手段は、前記回転多面鏡の回転位相を前記複数の印字モードに応じた相対回転位相パターンになる様に制御することを特徴とする請求項６記載の画像形成装置。
【発明の詳細な説明】
【技術分野】
【０００１】
本発明は、複写機、プリンタ、ファクシミリおよび複合機等の画像形成装置に関し、特に駆動時の騒音低減を図った画像形成装置に関するものである。
【背景技術】
【０００２】
複写機やプリンタ等の画像形成装置は、給紙搬送部、画像形成部、定着部等にモータ、ギヤ、ローラ等の多くの可動部材を持つ。これら可動部材の振動は、画像形成装置の騒音の発生源の一つとなっていた。また、この振動は、騒音発生源である可動部材に接する他の部材をも振動させるため、画像形成装置の騒音を増大させていた。
【０００３】
画像形成手段に光学走査ユニットを有する画像形成装置においては、光学走査ユニットのポリゴンモータが騒音の発生源の一つであった。
【０００４】
複数の光学走査ユニットを有する画像形成装置においては、複数の光学走査ユニットによる画像（潜像）の書き出し位置を合わせるために、光学走査ユニットの有する回転多面鏡の各面における光束の書き出し位置を検知している。また、複数の光学走査ユニットが等速回転するようにポリゴンモータに回転検知用の素子が設けられているものがある（例えば特許文献１参照）。
【０００５】
ここで、図２を参照しながら複数の光学走査ユニットを有する画像形成装置におけるポリゴンモータの構成を以下に説明する。
【０００６】
ポリゴンモータ２００は、回転多面鏡２０１、回転多面鏡２０１を搭載し一体となって回転するロータ２０２、回転軸２０３、回転多面鏡２０１をロータ２０２へと押圧固定する板バネ２０４、回路基板２０５から構成されている。
【０００７】
回転部材としては回転多面鏡２０１、ロータ２０２、回転軸２０３および板バネ２０４がある。回転軸２０３の外径と回転多面鏡２０１の内径との間には、その半径方向において、回転多面鏡２０１のロータ２０２および回転軸２０３への量産時の組付け性を考慮して、所定の隙間が設けられている。また同様に、板バネ２０４に関しても回転軸２０３との間に、その半径方向において所定の隙間が設けられている。
【０００８】
これらの隙間のために、ポリゴンモータ２００はインバランス（不釣合い）量を持っている。すなわち、回転多面鏡２０１をロータ２０２へ組付けると、これらの隙間によって回転多面鏡２０１が半径方向においてある程度移動する余地があるため、重量不釣合いが発生する。
【０００９】
従来、ポリゴンモータ２００の重量不釣合いを改善させるための１つの手段として、バランス修正用パテ（紫外線硬化樹脂等）をロータ２０２や回転多面鏡２０１の上面へ塗布することにより重量不釣合いを改善することが知られている。
【００１０】
しかしながら、バランス修正用パテの重量、塗布精度、バランス修正半径等を考慮すると、重量不釣合いの改善は不十分であった。また、通常歩留まりを確保する必要から、ある程度のインバランス量を持ったポリゴンモータを許容する必要があり、ある程度のインバランス量を持った状態で製品化され出荷されている。
【００１１】
以上説明した構成のポリゴンモータを備えた複数の光学走査ユニットを有する画像形成装置は以下の課題を持つ。
【００１２】
第１の課題は、回転多面鏡２０１が回転すると、各光学走査ユニットのポリゴンモータ２００のそれぞれの重量不釣合いにより光学走査ユニットが振動することである。ここで、ポリゴンモータ２００はＰＬＬ（Ｐｈａｓｅ−Ｌｏｃｋｅｄ  Ｌｏｏｐ）制御を受けるため、各ポリゴンモータ２００は、所定の回転数に達すると各回転多面鏡２０１の面位相が略同位相になるように、各ポリゴンモータ２００の回転位相の関係を固定し回転する。そのため、各ポリゴンモータ２００の重量不釣合い方向の位相関係は任意の位相差であり、画像形成装置を起動させる度にその位相関係は変化する。
【００１３】
次に第２の課題は、ポリゴンモータの各重量不釣合いにより生じる光学走査ユニットの振動が、光学走査ユニットの各背面支持部である筐体に伝わり、それにより筐体が振動し、騒音が発生することである。ここで前述のようにポリゴンモータの各重量不釣合い方向の位相関係は任意の位相差であって、画像形成装置を起動させる度にその位相関係は変化するため、騒音も画像形成装置を起動させる度に変化する。
【００１４】
これに対し、従来の騒音の低減を図った画像形成装置としては、画像形成装置の筐体内に吸音材を設け、給紙トレイの内側底面及び側面に吸音部材を有し、給紙時に給紙トレイ内で発生した音を吸収し、騒音を低減するものが提案されている（例えば特許文献２参照）。
【特許文献１】特開平０９−２３０２７３号公報
【特許文献２】特開２００３−８９４３７号公報
【発明の開示】
【発明が解決しようとする課題】
【００１５】
しかしながら、上記従来例では、装置内部に吸音材、消音材等を追加するため、装置容積の増大につながり、組立て負荷の増大やコストアップにつながるという問題があった。
【００１６】
本発明は、このような問題点に鑑みて為されたものであり、その目的とする処は、振動防止材、吸音材、消音材等を追加することなく低コスト、省スペースで安定した騒音低減の効果が得られる画像形成装置を提供することにある。
【課題を解決するための手段】
【００１７】
本発明は上述した課題を解決するためになされたものであり、その画像形成装置は以下の構成を備える。
【００１８】
本発明は、像担持体の表面を走査露光する回転多面鏡を各々備え、画像情報に基づいて前記像担持体表面に静電潜像を形成する複数の光学スキャナと、前記回転多面鏡の回転位相を検出する回転位相検出手段と、前記回転多面鏡の回転位相を制御する回転位相制御手段とを有し、前記回転位相制御手段が、前記回転多面鏡の相対回転位相パターンを、前記回転位相検出手段の検出結果に基づいて面単位で制御することを特徴とする。
【００１９】
また、本発明は、像担持体の表面を走査露光する回転多面鏡を各々備え、画像情報に基づいて前記像担持体表面に静電潜像を形成する複数の光学スキャナと、
前記回転多面鏡の回転位相を制御する回転位相検出手段と、振動を検知する振動検出手段とを有し、前記回転位相制御手段が、前記振動検出手段の検知結果に基づいて前記複数の回転多面鏡の回転位相関係を制御することを特徴とする。
【発明の効果】
【００２０】
本発明によれば、振動防止材、吸音材、消音材等を追加することなく低コスト、省スペースで安定した騒音低減の効果が得られる画像形成装置を提供することができる。
【発明を実施するための最良の形態】
【００２１】
以下本発明の実施例について、図面を参照しながら説明する。
【実施例１】
【００２２】
図１は、本実施例に係る画像形成装置の要部構成を示す概略断面図である。
【００２３】
図１において、画像形成装置１００は、上下方向に直線状に並設された像担持体としてのイエロー、マゼンタ、シアン、ブラック用の４個の電子写真感光体ドラム１ａ、１ｂ、１ｃ、１ｄ（以下、感光体ドラムとする）を備え、各感光体ドラム１ａ〜１ｄに対して、転写材としての記録紙Ｓを静電吸着により吸着して担持搬送する転写材搬送手段としての搬送ベルト１１が配置されている。
【００２４】
各感光体ドラム１ａ〜１ｄの周囲には、その回転方向上流側から順に、感光体ドラム１の表面を均一に帯電するための帯電手段としての一次帯電器２ａ、２ｂ、２ｃ、２ｄが配され、一次帯電器２ａ〜２ｄにより一様に帯電された感光体ドラム１ａ〜１ｄの表面に画像情報に基づいてレーザビームを照射して静電潜像を形成する光学走査手段としての露光装置３０ａ、３０ｂ、３０ｃ、３０ｄが配置されている。
【００２５】
露光装置３０ａ〜３０ｄは、レーザビームを偏光して感光体ドラム１ａ〜１ｄの表面を走査露光する走査部材としてのポリゴンモータ３１ａ、３１ｂ、３１ｃ、３１ｄを有する。
【００２６】
さらには、静電潜像が形成された感光体ドラム１ａ〜１ｄの表面に各色のトナーを付着させてトナー像として顕像化する現像手段としての現像ユニット４ａ、４ｂ、４ｃ、４ｄ、トナー像の転写材への転写後の感光体ドラム１ａ〜１ｄの表面に残留したトナーを除去するクリーニング手段としてのクリーニング部材６ａ、６ｂ、６ｃ、６ｄが配置されている。
【００２７】
また、各感光体ドラム１ａ〜１ｄに対向する位置には、搬送ベルト１１を介して該搬送ベルト１１により担持搬送される記録紙Ｓに感光体ドラム１ａ〜１ｄの表面に形成されたトナー像を転写する転写手段としての転写ローラ１２ａ、１２ｂ、１２ｃ、１２ｄが配置されている。
【００２８】
定着手段としての定着器２０は、記録紙Ｓ上のトナー像を記録紙Ｓに熱と圧力とで定着するようになっている。排紙ローラ２３は、記録紙Ｓを排紙トレイに排出し、積載する。
【００２９】
露光装置３０ａ〜３０ｄは筐体５０に支持されている。筐体５０は、露光装置３０ａ〜３０ｄを不図示の左右側板で保持し、これら左右側板に対して枠体を構成可能なステーを橋渡し、筐体５０の剛性をあげる構成をとっている。回転体を有する露光装置３０ａ〜３０ｄは、左右側板に直止めもしくは不図示の露光装置取り付けステーに取り付けられて筐体５０に保持される。
【００３０】
露光装置３０ａ〜３０ｄはそれ自体の振動を極力低下する手段を有して組み付けられている。また、筐体５０は板金、樹脂等の部材で構成されている。
【００３１】
本実施例に係る重量不釣合い方向の検知方法および回転位相の制御方法を、図３（Ａ）および図３（Ｂ）を用いて説明する。
【００３２】
図３（Ａ）は回転多面鏡２０１の平面概略図であり、図３（Ｂ）は重量不釣合い方向検知手段とポリゴンモータの構成の概略図である。
【００３３】
まず図３（Ａ）に示すように、回転多面鏡２０１の上面の、中心軸から所定の距離だけ離れた位置であって、ポリゴンモータ３１ａ〜３１ｄが回転した時の重量不釣合い方向にあらかじめマーク２０６を付す。
【００３４】
次に、図３（Ｂ）に示すように、マーク２０６に対向する位置であって、露光装置３０の所定の位置に重量不釣合い方向検知手段としての反射型フォトインタラプタ２０７を設ける。この構成によって回転多面鏡２０１が回転すると反射型フォトインタラプタ２０７の下をマーキング２０６が通過することとなる。反射型フォトインタラプタ２０７の下をマーキング２０６が通過すると、反射型フォトインタラプタ２０７の反射光量が変化するので、この反射光量の変化を検知信号として認識する。
【００３５】
この構成をポリゴンモータ３１ａ〜３１ｄに設けることにより、ポリゴンモータ３１ａ〜３１ｄの各重量不釣合い方向を検知することができる。本実施例においては、重量不釣合い方向の検知は、画像形成装置１００を起動させるごとに検知する。
【００３６】
次に、ポリゴンモータ３１ａ〜３１ｄの各反射型フォトインタラプタ２０７からの検知信号を回転位相検出手段としての不図示の位相検出回路で比較し、各反射型フォトインタラプタ２０７のマーキング２０６の検知時間差からポリゴンモータ３１ａ〜３１ｄの重量不釣合い方向の位相関係（回転位相）を検出する。
【００３７】
続いて、任意の１つのポリゴンモータ３１からの反射型フォトインタラプタ２０７の検知信号を基準に、残りの各ポリゴンモータ３１の重量不釣合い方向の位相関係が、面単位で、予め記憶手段に記憶された所定の位相関係になるような補正量を算出し、回転位相制御手段としての不図示の位相制御回路に補正量を伝達する。
【００３８】
位相制御回路は、ポリゴンモータ３１ａ〜３１ｄのＰＬＬ制御を行い、重量不釣合い方向の位相関係（回転位相）を制御する。
【００３９】
重量不釣合い方向の位相関係を制御した結果、各回転多面鏡２０１の面位相が略同位相にならず、そのために画像形成へ影響が生じる場合は、ポリゴンモータ３１ａ〜３１ｄの回転位相の制御後に、制御後の重量不釣合い方向の位相関係に近い所定の範囲で各回転多面鏡２０１の面位相（面単位の回転位相）が略同位相になるように、ポリゴンモータ３１ａ〜３１ｄの回転位相の関係を固定するＰＬＬ制御を行えばよい。
【００４０】
また、色ズレ補正等の為に回転多面鏡２０１の面位相を特定位相ずらす場合には、その特定位相のズレ量を加えたＰＬＬ制御を行えばよい。
【００４１】
すなわち、回転多面鏡２０１の位相を、重量不釣合い方向の検知結果に基づいて面単位で制御するとともに、色ズレの検知結果である色ズレ情報に基づいて１面以下の単位で制御する。
【００４２】
図４は、露光装置３０ａ〜３０ｄの位相関係を模式的に表した図である。図中の矢印はポリゴンモータ３１ａ〜３１ｄの重量不釣合い方向である。ポリゴンモータ３１ａ〜３１ｄのインバランス量を、比較的悪いレベルである１．５ｍｇ・ｃｍとした場合の位相関係を示す。
【００４３】
本実施例においては、ポリゴンモータのインバランス量の指標を、ｍｇ・ｃｍというバランス単位とし、これを共通の数値として用いた。ここでバランス単位ｍｇ・ｃｍは、例えば１．０ｍｇ・ｃｍという値であれば、回転軸の中心から半径１．０ｃｍの位置に１．０ｍｇの重りを置いた場合のインバランス量のことである。
【００４４】
図４（ａ）は重量不釣合い方向の回転位相制御前の位相関係である。露光装置３０ａ、３０ｃおよび３０ｄは重量不釣合い方向の位相関係が同位相であり、露光装置３０ｂのみが逆位相である。また図４（ｂ）は、回転位相の制御を行った場合の位相関係である。露光装置３０ａ、３０ｂ、３０ｄは重量不釣合い方向の位相関係が同位相であり、露光装置３０ｃのみが逆位相である。露光装置３０ａ〜３０ｄの位相関係が図４（ｂ）に示される相対回転位相パターンのときに筐体５０の振動が低減する。
【００４５】
図５および６は、本実施例に係る画像形成装置１００を実際に起動させた際の測定結果を示す図である。
【００４６】
図５に、図４（ａ）と（ｂ）に示された露光装置３０ａ〜３０ｄの位相関係における筐体５０の振動量を示す。図４（ａ）の位相関係における振動量が１４．７６μｍであるのに対し、図４（ｂ）に示される、回転位相の制御を行った場合の位相関係における振動量は０．３６μｍであった。
【００４７】
この結果から、回転位相の制御を行った場合に、筐体５０の振動が大きく低減したことが分かる。尚、筐体５０の振動測定ポイントは、格子状に縦に９ポイント、横に７ポイントの計６３ポイントとした。
【００４８】
図６に、図４（ａ）と（ｂ）に示された露光装置３０ａ〜３０ｄの位相関係における画像形成装置１００の騒音量を示す。図４（ａ）の位相関係における騒音量が５．５１Ｂｅｌｓであるのに対し、図４（ｂ）に示される、回転位相の制御を行った場合の位相関係における騒音量は４．８４Ｂｅｌｓであった。
【００４９】
この結果から、回転位相の制御を行った場合に、画像形成装置１００の騒音量が大きく低減したことが分かる。
【００５０】
以上のように、露光装置３０ａ〜３０ｄの回転位相を制御することにより、露光装置３０ａ〜３０ｄの振動を低減させ、それにより筐体５０の振動が低減し、画像形成装置１００の騒音を低減させることができる。
【００５１】
また、図４（ｂ）に示されるような特定の位相関係に制御することにより、騒音が画像形成装置１００を起動させる度に変化するという問題も、解決することができる。
【００５２】
図７に、露光装置３０ａ〜３０ｄの重量不釣合い方向の位相差が１８０度である場合の全８通りの相対回転位相パターンでの画像形成装置１００の騒音量を示す。
【００５３】
位相パターンａとｂは、図４及び図６における位相パターン（ａ）と（ｂ）と同様である。
【００５４】
この結果から、位相パターンｂが騒音量が最も低いことが分かる。
【００５５】
この様に、工場での量産前にあらかじめ画像形成装置１００の最適な重量不釣合い方向の位相関係を解析する。その最適な位相関係を位相制御回路のメモリへ入力し、回転位相関係がその所定の相対回転位相パターンになる様に位相制御を行えばよい。
【００５６】
なお、本実施例では位相差が同位相、逆位相の１８０度での結果を示したが、最適な位相関係はこの角度に限ったものではない。
【００５７】
図８は、本実施例における位相制御のブロック図である。
【００５８】
レーザビーム検知器２０８ａ〜２０８ｄは、レーザビームの照射開始タイミングの検知や、ポリゴンモータ３１ａ〜３１ｄの面位相を検知する。
【００５９】
このように、反射型フォトインタラプタ２０７ａ〜２０７ｄの検知信号及び、レーザビーム検知器２０８ａ〜２０８ｄの検知信号を位相検出回路から位相制御回路へ送りＰＬＬ制御を行うことによりポリゴンモータ３１ａ〜３１ｄの位相関係を制御する。
【００６０】
なお、画像形成装置１００が複数の印字モードを持つ場合や、ポリゴンモータ３１ａ〜３１ｄが複数の回転速度を持つ場合であっても、それぞれの印字モードや回転速度に応じて筐体５０の振動が低減する特定の位相関係に制御することにより、画像形成装置１００の騒音を低減することができる。
【実施例２】
【００６１】
図９は、本実施例に係る画像形成装置の要部構成を示す概略断面図である。
【００６２】
画像形成装置１０１は、実施例１に係る図１の画像形成装置１００において、筐体５０に振動検知手段としての振動検知装置５１が設けられた構成である。
【００６３】
なお、重量不釣合い方向の検知手段及び重量不釣合い方向の位相制御手段は設けない。
【００６４】
まず露光装置３０ａ〜３０ｄと筐体５０の関係について図１０を用いて説明する。
【００６５】
図９は、露光装置３０ａ〜３０ｄの平面概略図である。露光装置３０ａ〜３０ｄは左右を左側板５２と右側板５３で支持され、背面を筐体５０で支持されている。
【００６６】
また、ポリゴンモータ３１ａ〜３１ｄは図１０に示されるような位置にある。そのため、ポリゴンモータ３１ａ〜３１ｄの重量不釣合いによる露光装置３０ａ〜３１ｄの振動は、左側板５２および右側板５３と比べ、筐体５０にはその垂直方向に伝達する。したがって、振動検知装置５１は、左側板５２あるいは右側板５３に比べ、筐体５０に配置するとより効果的である。もちろん、左側板５２、右側板５３に振動検知装置５１を設ける構成としてもよい。
【００６７】
そこで、本実施例では図９に示すように、筐体５０に１以上の振動検知装置５１を配置する構成とした。具体的には、露光装置３０の振動により筐体５０が顕著に振動するポイントをあらかじめ解析し、筐体５０に１つ以上の振動検知手段５１（例えば加速度ピックアップ等）をその振動するポイントに設ける。
【００６８】
例えば、縦方向に露光装置３０ａ〜３０ｄの支持部直下に４ポイント、露光装置３０の支持部と露光装置３０が入る穴の中間に３ポイント、露光装置３０ａの支持部の２０ｍｍ下側に１ポイント、露光装置３０ｄの支持部の４０ｍｍ上側に１ポイントの計９ポイント設ける。また、露光装置３０の支持部から筐体５０の左右の締結個所までの中間位置に同様に縦に左右９ポイントずつ設け、計２７ポイント設けることとする。
【００６９】
振動検知装置５１は、画像形成装置１０１を起動させる度に筐体５０の振動を検知する。そして、振動検知装置５１の検知結果に基づく筐体５０の振動が低減するタイミングにおいて、ポリゴンモータ３１ａ〜３１ｄのＰＬＬ制御を行うことによりポリゴンモータ３１ａ〜３１ｄの回転位相を固定する。すなわち、ポリゴンモータ３１ａ〜３１ｄの重量不釣合い方向の位相関係を固定し回転させる。
【００７０】
重量不釣合い方向の位相関係を制御した結果、各回転多面鏡２０１の面位相が略同位相にならず、そのために画像形成へ影響が生じる場合は、ポリゴンモータ３１ａ〜３１ｄの回転位相の制御後に、制御後の重量不釣合い方向の位相関係に近い所定の範囲で各回転多面鏡２０１の面位相が略同位相になるように、ポリゴンモータ３１ａ〜３１ｄの回転位相の関係を固定するＰＬＬ制御を行えばよい。
【００７１】
また、色ズレ補正等の為に回転多面鏡２０１の面位相を特定位相ずらす場合には、その特定位相のズレ量を加えたＰＬＬ制御を行えばよい。
【００７２】
すなわち、回転多面鏡２０１の位相を、重量不釣合い方向の検知結果に基づいて面単位で制御するとともに、色ズレの検知結果である色ズレ情報に基づいて１面以下の単位で制御する。
【００７３】
図１１は、本実施例における位相制御のブロック図である。
【００７４】
このように、振動検知装置２１１の検知結果より振動が低減するタイミングにおいて、振動検知装置２１１から信号を位相制御回路２１２へ送りＰＬＬ制御を行うことによりポリゴンモータ３１ａ〜３１ｄの位相関係を制御する。
【００７５】
以上のように、筐体５０の振動が低減するタイミングにおいてポリゴンモータ３１ａ〜３１ｄの重量不釣合い方向の位相関係を固定して回転させることにより、筐体５０の振動を低減させ、画像形成装置１０１の騒音を低減することができる。
【００７６】
また、騒音が画像形成装置１０１を起動させる度に変化するという問題も、解決することができる。
【００７７】
以上、上記実施例１および２によれば、ポリゴンモータの重量不釣合い方向を検知して、ポリゴンモータの振動を低減する特定の位相に制御することにより、また、振動検出装置を設け、筐体の振動が低減するタイミングにおいてポリゴンモータの回転位相を固定し、筐体の振動が低減する位相に制御することにより、振動防止材、吸音材、消音材等を追加することなく低コスト、省スペースで安定した騒音低減ができる。
【図面の簡単な説明】
【００７８】
【図１】実施例１に係る画像形成装置の要部構成を示す概略断面図
【図２】実施例１および従来例に係るポリゴンモータの要部構成を示す斜視図
【図３】（Ａ）は回転多面鏡２０１の平面概略図、（Ｂ）は反射型フォトインタラプタとポリゴンモータの構成を示す概略図
【図４】露光装置の位相関係を模式的に表した図
【図５】画像形成装置を起動させた際の測定結果を示す図
【図６】画像形成装置を起動させた際の測定結果を示す図
【図７】画像形成装置を起動させた際の測定結果を示す図
【図８】実施例１における位相制御のブロック図
【図９】実施例２に係る画像形成装置の要部構成を示す概略断面図
【図１０】露光装置の平面概略図
【図１１】実施例２に係る位相制御のブロック図
【符号の説明】
【００７９】
３１ａ〜３１ｄ  ポリゴンモータ
２１１  位相検出回路
２１２  位相制御回路
【図１】
2007004151.tif 000003
【図２】
2007004151.tif 000004
【図３】
2007004151.tif 000005
【図４】
2007004151.tif 000006
【図５】
2007004151.tif 000007
【図６】
2007004151.tif 000008
【図７】
2007004151.tif 000009
【図８】
2007004151.tif 000010
【図９】
2007004151.tif 000011
【図１０】
2007004151.tif 000012
【図１１】
2007004151.tif 000013